(57)【要約】【課題】狭く、凹凸のある描画平面でも正確に図形等を描画できるようにする。【解決手段】レーザ光線が照射される描画平面１４内にその基準面１４ａ、１４ｂに沿って押さえ板３０をセットし、この押さえ板に設けられた凹部３４内に描画対象物である扇子４０を装着して固定する。押さえ板を用いることで、扇子に対する描画平面の基準面に沿って固定できるから、扇子に対する描画位置を正確に設定できる。扇子の描画面はその腹部４８である。扇子をセットしてからレーザ光線によって加工処理（篆刻処理）を行う。レーザ光線を照射するヘッド部２０には、篆刻すべき図形等の描画情報が供給される。描画情報としては、図形等の絵柄、絵柄の大きさ、描画領域などが設定される。篆刻処理によって、腹部に篆刻部が設けられた扇子が得られる。【選択図】        図４
2007038457.tif 000002
【特許請求の範囲】
【請求項１】
二次元平面内を走査できるようになされたレーザ光線を照射するヘッド部と、
描画情報に基づいて上記ヘッド部を制御する制御部と、
レーザ光線による描画平面に設けられた基準面に沿ってセットされる、描画対象物の押さえ板とで構成され、
上記押さえ板内に上記描画対象物を装着した状態でレーザ光線による描画を行って図形等の篆刻がなされる
ことを特徴とするレーザ篆刻装置。
【請求項２】
上記描画対象物は扇子であって、該扇子の要を中心とした腹部が描画面となされた
ことを特徴とする請求項１記載のレーザ篆刻装置。
【請求項３】
上記押さえ板には、上記描画対象物を装着固定できる凹部が設けられた
ことを特徴とする請求項１記載のレーザ篆刻装置。
【請求項４】
レーザ光線の描画平面に押さえ板をセットするステップと、
上記押さえ板の凹部内に描画対象物をセットするステップと、
上記描画対象物の描画領域に、図形等の描画情報によって制御されるレーザ光線を照射して図形等を描画して篆刻するステップと
からなることを特徴とするレーザ光線による篆刻方法。
【請求項５】
上記描画対象物は、扇子である
ことを特徴とする請求項４記載のレーザ光線による篆刻方法。
【請求項６】
一対の親骨と、多数の骨とで構成された扇子であって、
上記扇子の要を中心とした腹部に、レーザ光線によって図形等の絵柄が篆刻された篆刻部を有する
ことを特徴とする扇子。
【発明の詳細な説明】
【技術分野】
【０００１】
この発明は、レーザ篆刻装置、レーザ光線による篆刻方法および扇子に関する。
詳しくは、描画平面内に押さえ板を置き、ここに描画対象物を装着固定した状態で、図形などの絵柄をレーザ光線によって描画することによって描画対象物にレーザ光線による鮮明な篆刻部を形成できるようにしたものである。
【背景技術】
【０００２】
扇子などのように比較的凹凸があって、その描画領域が狭い場所に、目的の図形、文字、記号、模様など（図形等という）の絵柄を刻印できれば、その商品価値を高めることができることはもちろんのこと、使用者の好みに合わせた物を提供できる。例えば、自分の名前や家紋など、好みの絵柄を扇子に形成できれば、類似商品のない「my扇子」を提供できる。
【０００３】
このような図形等を形成する場合、最も一般的なのは図形等が刻印されたスタンプを利用することである。スタンプを扇子の扇面（扇子用地）の部分に押すことで、扇子を開いたとき、図形等が現れる。
【０００４】
しかし、扇子を使用しないときでもその図形等の絵柄を見ることができるようにするためには、図形等を扇子の親骨などに刻印すればよい（例えば、非特許文献１）。
【０００５】
【非特許文献１】意匠登録第１０７９２３０号
【発明の開示】
【発明が解決しようとする課題】
【０００６】
ところで、図形等を扇子の親骨に刻印するには、通常スタンプではなく、印刷やシールを貼ることが考えられる。しかし、これでは恒久的ではない。また、刻印場所も親骨よりは、例えば要のある扇子の腹の部分（腹部）である方が、効果的である。腹部は、親骨の面よりも篆刻領域（描画領域）も大きいので、多少複雑な絵柄であっても刻印できる。
【０００７】
しかし、この腹部は周知のように多数の骨が集まった部分であり、不規則な凹凸面を持っているので、単純には篆刻できないし、ましてや複雑な絵柄を鮮明に篆刻（刻印）することはできない。
【０００８】
そこでこの発明は、複雑な絵柄を篆刻できるようにするため、レーザ光線を利用すると共に、恒久的な図形等を安定して形成できるようにしたレーザ篆刻装置等を提供するものである。
【課題を解決するための手段】
【０００９】
上述の課題を解決するため、請求項１に記載したこの発明に係るレーザ篆刻装置では、二次元平面内を走査できるようになされたレーザ光線を照射するヘッド部と、
描画情報に基づいて上記ヘッド部を制御する制御部と、
レーザ光線による描画平面に設けられた基準面に沿ってセットされる、描画対象物の押さえ板とで構成され、
上記押さえ板内に上記描画対象物を装着した状態でレーザ光線による描画を行って図形等の篆刻がなされることを特徴とする。
【００１０】
請求項４に記載したこの発明に係るレーザ光線による篆刻方法では、レーザ光線の描画平面に押さえ板をセットするステップと、
上記押さえ板の凹部内に描画対象物をセットするステップと、
上記描画対象物の描画領域に、図形等の描画情報によって制御されたレーザ光線を照射して図形等を描画して篆刻するステップとからなることを特徴とする。
【００１１】
また請求項６に記載したこの発明に係る扇子は、一対の親骨と、多数の骨とで構成された扇子であって、
上記扇子の要を中心とした腹部に、レーザ光線によって図形等の絵柄が篆刻された篆刻部を有することを特徴とする。
【００１２】
この発明では、レーザ光線が照射される描画平面内に、その基準面に沿って押さえ板をセットし、この押さえ板に設けられた凹部内に描画対象物を装着して固定する。描画対象物は扇子などである。扇子の場合には凹部の幅は扇子の親骨をその両側から押さえられるような幅に選定されている。押さえ板を用いることで、扇子に対する描画平面の基準面に沿って固定できるから、扇子に対する描画位置を正確に設定できる。扇子の場合、その描画面は扇子の腹部である。腹部とは一対の親骨によって囲まれた多数の骨が要によって束ねられている骨の部分を言う。
【００１３】
描画対象物である扇子を描画平面の基準面にセットしてレーザ光線による加工処理（篆刻処理）を行う。この篆刻処理は、レーザ光による焼き入れ処理である。扇子の腹部は多数の骨の側面（厚みの部分）によって構成されるものであるから、凹凸面となっているが、レーザ光線によればこの凹凸面であっても、多少の凹凸面であれば、殆ど問題なく目的の絵柄通りに焼き入れすることができる。
【００１４】
レーザ光線を照射するヘッド部には、篆刻すべき図形等の情報が供給される。そのため、篆刻すべき図形等の情報が描画情報入力部で生成される。描画情報入力部では、篆刻すべき図形等が選択され、選択された図形等を扇子の腹部にどの程度の大きさで篆刻するか、また腹部に対する篆刻位置が設定される。さらにレーザ光線の照射強度が指定される。照射強度によって篆刻される腹部の深さが変わる。このような篆刻処理によって、腹部に篆刻部が設けられた扇子が得られる。
【００１５】
したがって、この扇子を得るには、レーザ光線の描画平面に押さえ板をセットし、次に押さえ板の凹部内に描画対象物をセットし、その後描画対象領域に、描画用の図形情報によって制御されたレーザ光線を照射することで、目的の図形等を腹部に描画できる。
【００１６】
篆刻部の図形等は、図形、模様、記号、文字（名前等）など、好みに応じた絵柄であるので、世の中に１つしかない、いわば「my扇子」的な扇子となる。
【発明の効果】
【００１７】
以上説明したようにこの発明では、レーザ光線の描画平面にセットされた押さえ板に描画対象物を装着して、描画対象領域に、描画用の絵柄情報によって制御されたレーザ光線を照射することで、目的の絵柄を扇子などの描画対象物に描画・篆刻できるようにしたものである。
【００１８】
これによれば、凹凸のある描画平面であり、しかも描画領域が狭いところであっても、描画対象物を描画平面に載置固定した状態でレーザ光線を用いて描画すれば、目的とする絵柄を鮮明に篆刻できる。またそのような絵柄を篆刻した扇子を提供できる実益を有する。
【発明を実施するための最良の形態】
【００１９】
続いて、この発明に係るレーザ篆刻装置、レーザ光線による篆刻方法および扇子の一実施形態を図面を参照して詳細に説明する。レーザ篆刻装置およびレーザ篆刻方法の対象となる描画対象物は扇子とする。
【００２０】
この発明に係るレーザ篆刻装置１０は、図８に示すように描画情報入力部１０Ａと、レーザ篆刻部１０Ｂとで構成される。描画情報入力部１０Ａは、描画対象物である扇子に特定の図形等の絵柄を篆刻するために、必要な描画情報を入力する。必要な描画情報とは、図形等の指定であり、篆刻すべき大きさであり、篆刻すべき扇子の描画位置である。さらに、複数の扇子に対して同時に同一絵柄を篆刻する場合にはその個数の指定が行われる。
【００２１】
レーザ篆刻部１０Ｂは、レーザ加工装置で構成され、描画情報入力部１０Ａから転送された描画情報に基づいて描画処理を行う。したがってこのレーザ篆刻部１０Ｂは、レーザ光線を照射するヘッド部７０と、このヘッド部７０に描画情報を供給するための制御部７２を有し、レーザ篆刻部１０Ｂに設けられた描画平面にセットされた描画対象物である扇子４０にレーザ光線を照射して図形等の絵柄が篆刻される。その結果、扇子４０の腹部には絵柄が篆刻された篆刻部５２が形成される（図６、図７参照）。
【００２２】
さて、図１はこのレーザ篆刻部１０Ｂの平面構成図を示すものであって、その本体平面部１２の中央部に描画平面１４がある。描画平面１４は所定の二次元平面を有する凹部として構成され、その基準点Ｐ０を含むｘ面１４ａ、ｙ面１４ｂが描画平面１４における基準面となる。
【００２３】
この基準面を二次元走査できるようにヘッド部２０が設けられる。そのため、このヘッド部２０はｘ軸方向に延びる移動ロッド１６に対して摺動自在に取り付けられる。移動ロッド１６の左右端部には摺動子１８が取り付けられ、これら摺動子１８はｙ軸方向に延びる固定ロッド２２を摺動できるように構成される。この構成によって、ヘッド部２０は描画平面１４上を二次元走査することができる。
【００２４】
描画平面１４には、図２に示すような押さえ板３０が取り付けられる。押さえ板３０は平板であって、経時および経年変化が少ない例えばアクリル板が使用される。押さえ板３０は扇子とほぼ同等の長さに相当する長方形状をなす平板３２が用いられ、図３の断面図からも明らかなように、その長辺側の一端面３２ａより所定の深さと幅ｗを持った複数の凹部３４が設けられている。
【００２５】
これら複数の凹部３４が扇子押さえ部３６として機能する。したがって、図４に示すように描画対象物である扇子４０を扇子押さえ部３６に安定して装着できるように所定の厚みＤに選定された平板３２が使用され、これら扇子押さえ部３６に扇子４０を装着することで、扇子４０の長辺側（後述する親骨４２側）を固定できる。
【００２６】
扇子４０は図５に示すように、一対の親骨４２とこれら親骨４２に挟まれた多数の骨４４と、これら多数の骨４４を束ねて一対の親骨４２に連結するための要４６とで構成され、要４６から延びる多数の骨４４には、例えば適宜な絵柄が印刷された扇子用地（和紙など）が貼着されている。親骨４２や骨４４は、通常竹材や、プラスチックによる成型品が使用されている。実施例としては前者の例を示す。
【００２７】
多数の骨４４によって結束された要４６を中心とする側面、つまり扇子４０を折り畳むことによって多数の骨４４によって形成される面を腹部４８とすると、この腹部４８が扇子４０の描画面として使用される。そのため、腹部４８のうち要４６を含む所定領域の平面部が描画領域５０となる。描画領域５０を構成する一対の対角稜点が基準点となり、一方の基準点Ｐ１（ｘ１，ｙ１）がレーザ照射の開始点（又は終了点）となり、他方の基準点Ｐ（ｘ２，ｙ２）がレーザ照射の終了点（又は開始点）となる。
【００２８】
上述した押さえ板３０は、図４に示すようにレーザ篆刻部１０Ｂの描画平面１４内の基準面１４ａ，１４ｂに、その基準面３８ｘ、３８ｙが一致するように描画平面１４に載置される。その状態で篆刻すべき扇子４０を所定個数セットされる図４の例では３つの扇子４０を装着できる押さえ板３０が使用され、そのうち２つの扇子押さえ部３６に扇子４０を装着した場合を示す。扇子４０は要４６側が、扇子押さえ部３６の開口部とは反対側を向くように装着される。
【００２９】
扇子４０をこのように装着した状態で描画領域５０の範囲（点Ｐ１、Ｐ２）が、描画平面１４の基準点Ｐ０を基準にして決定される（図５参照）。描画領域５０を決定することで、この描画領域５０内に描画すべき絵柄が選択される。絵柄としては、図形、記号、文字、模様、これらのうちの任意の組み合わせが考えられる。図６の例は、２文字を選択し、これを縦方向に篆刻する例である。篆刻によって扇子４０に篆刻部５２が設けられたことになる。図７は適当な絵柄を篆刻して篆刻部５２を形成した例である。篆刻部５２は扇子４０の片面のみに形成する場合と、その両面に形成する場合があり、何れかが選択される。
【００３０】
さて、このような篆刻部５２を扇子４０に刻印するため、図８に示すようなレーザ篆刻装置１０が使用される。レーザ篆刻装置１０は上述したように描画情報の入力部１０Ａとレーザ篆刻部であるレーザ加工装置１０Ｂとで構成される。描画情報入力部１０Ａは、図示するようにデスクトップ型やノートパソコン型を使用できるが、レーザ篆刻部１０Ｂと一体に構成してもよい。
【００３１】
図９は描画情報入力部１０Ａの構成例を示す。この例ではコンピュータを使用したもので、全体の制御を司る制御部であるＣＰＵ８０の他に、篆刻用のプログラム情報が格納されたメモリ手段としてのＲＯＭ８２，ワーキング用のメモリ手段としてのＲＡＭ８４を有する。描画情報はモニタ６０によって確認できる。
【００３２】
この描画情報入力部１０Ａではさらに篆刻図形情報のデータベース（ＤＢ）８６が設けられ、必要な篆刻図形情報（絵柄）や絵柄の組み合わせ情報、さらにはデータベース８６にストアされている描画対象物を指定する。指定された絵柄と描画対象物である扇子４０の平面図情報は何れもモニタ６０に表示される。
【００３３】
指定された絵柄に対するレーザ光線の加工強度、篆刻すべき大きさの情報、レーザ加工の開始点および終了点などの情報は何れも篆刻図形情報である描画情報などと共にこのデータベース８６にストアさせておくことができる。選択された絵柄や、この絵柄に関する篆刻情報などの描画情報はレーザ描画情報メモリ８８や、フロッピー（登録商標）ディスクなどの外部メモリ６４（図８参照）に保存される。データベース８６に蓄積されている図形等の描画情報や描画対象物などの情報は、任意のタイミングに更新できる。
【００３４】
絵柄の選択などは情報入力部（テンキー入力部）６２や、外部入力手段としてのマウス９２などを利用して入力される。また、選択された絵柄情報や、付随する篆刻情報などのレーザ描画情報はデータ転送用のインタフェース９０を介してレーザ篆刻部１０Ｂに転送される。
【００３５】
転送されたレーザ描画情報は、レーザ篆刻部１０Ｂに設けられた制御部７２に保存され、この制御部７２からのレーザ描画情報によってヘッド部７０を制御することで所望とする絵柄を扇子４０の腹部４８に篆刻できる。
【００３６】
図１０はこのレーザ光線による篆刻処理のうち描画情報作成処理例を示すフローチャートであって、描画図形（絵柄）情報の読み出しを行うと共に、描画対象物である扇子の描画領域５０にこの絵柄を貼り付ける（ステップ１０２）。次に、描画領域５０内に包含されるように描画すべき絵柄の大きさを調節すると共に、描画すべき開始点Ｐ１と終点Ｐ２を指定する（ステップ１０４）。
【００３７】
続いて、扇子４０の装着個数に併せて描画すべき個数ｎ（ｎ≧１）を設定すると共に（ステップ１０６）、レーザ光線の強度（加工パワー）を設定する（ステップ１０８）。これらの描画情報の全ての設定が終了した段階で、これらの描画情報がレーザ描画情報メモリ８８に保存されると共に、レーザ篆刻部１０Ｂへの転送処理を行うことによってレーザ描画情報（篆刻情報）の設定処理が終了する（ステップ１１０）。
【００３８】
レーザ篆刻部１０Ｂではこのレーザ描画情報に基づいてヘッド部７０を二次元走査して、レーザ光線を扇子４０の腹部４８に照射することで、描画領域５０に指定した絵柄の描画が実行される。この描画処理によって篆刻部５２を有する扇子４０が得られる。
【００３９】
レーザ光線による篆刻処理例を図１１を参照して総括的に説明すると、まず描画平面１４に押さえ板３０をセットし（ステップ１２０）、次にこの押さえ板３０に描画対象物であるこの例は扇子４０をセットして、扇子４０を描画平面１４に固定する（ステップ１２２）。このような下準備をしてからレーザ光線による篆刻処理が行われることになる（ステップ１２４）。照射強度によって篆刻される（焼き入れされる）腹部４８の深さが変わる。腹部４８の深さは扇子４０の構成材料によっても若干相違する。
【００４０】
扇子４０の腹部４８は多数の骨４４の側面（厚みの部分）が集合したものであるから、この腹部４８は凹凸面となっているが、レーザ光線による加工処理であれば、凹凸面があっても、多少の凹凸面であれば、殆ど問題なく目的の絵柄通りに焼き入れすることができる。  
描画すべき腹部４８は、扇子４０の片面に限らず、その両面であってもよい。両面に描画するときは、それぞれの描画情報を予め作成して制御部７２に転送しておき、片面の篆刻終了後に扇子４０を裏返しして再度同様な篆刻処理を実行すればよい。この場合には片面に絵柄を篆刻し、他面に名前や、記念日の日付など想い出に残る図形等を篆刻するように、異なった絵柄を篆刻できる。
【００４１】
上述した実施例では、この発明に係るレーザ篆刻装置およびレーザ光線による篆刻方法としての篆刻対象物（描画対象物）として扇子を例示したが、この発明はこれに限らない。
【産業上の利用可能性】
【００４２】
この発明は、扇子などのように描画領域が狭く、なおかつ凹凸のあるような描画平面に図形等の絵柄を描画するレーザ加工装置などに適用して極めて好適である。
【図面の簡単な説明】
【００４３】
【図１】この発明に係るレーザ篆刻装置の実施の形態を示す要部の平面図である。
【図２】レーザ篆刻装置に使用される押さえ板の一例を示す平面図である。
【図３】その横断面図である。
【図４】描画平面に載置された押さえ板に扇子を装着した状態を示す平面図である。
【図５】扇子と描画領域との関係を示す平面図である。
【図６】扇子の描画領域に図形等の絵柄を篆刻した篆刻例を示す平面図である。
【図７】扇子の他の面の描画領域に図形等の絵柄を篆刻した篆刻例を示す平面図である。
【図８】この発明に係るレーザ篆刻装置の一例を示す要部概念図である。
【図９】描画情報入力部の一例を示す要部の構成図である。
【図１０】この描画情報の作例を示すフローチャートである。
【図１１】この発明に係るレーザ篆刻方法を実現するための総括説明に使用されるフローチャートである。
【符号の説明】
【００４４】
１０・・・レーザ篆刻装置
１０Ａ・・・描画情報入力部
１０Ｂ・・・レーザ篆刻部
１４・・・描画平面
１４ａ、１４ｂ・・・基準面
２０・・・ヘッド部
３０・・・押さえ板
３６・・・扇子押さえ部
３８ｘ、３８ｙ・・・基準面
４０・・・扇子（描画対象物）
４２・・・親骨
４４・・・骨
４６・・・要
４８・・・腹部
５０・・・描画領域
５２・・・篆刻部
８６・・・篆刻情報（描画情報）データベース
【図１】
2007038457.tif 000003
【図２】
2007038457.tif 000004
【図３】
2007038457.tif 000005
【図４】
2007038457.tif 000006
【図５】
2007038457.tif 000007
【図６】
2007038457.tif 000008
【図７】
2007038457.tif 000009
【図８】
2007038457.tif 000010
【図９】
2007038457.tif 000011
【図１０】
2007038457.tif 000012
【図１１】
2007038457.tif 000013